(57)【要約】  利用者の端末に市街の案内映像を配信し、前記案内映像中に表示されている特定の施設に対して、前記施設に関する情報を重畳表示する映像配信装置。前記案内映像内に直接クリック可能な対象を明示的に埋め込み、前記映像に対して直接インタラクションを行って広告等の情報を表示する。  記憶部、フレーム画像取得部、オブジェクト表示位置決定部、オブジェクト表示設定部、映像配信部を備えている映像配信装置。記憶部は、市街の案内映像を構成する複数のフレーム画像からなる映像情報と、前記特定の施設に関するコンテンツが提供されるウェブサイトへ直接アクセス可能なオブジェクトとを記憶している。フレーム画像取得部は、前記複数のフレーム画像の中から、前記特定の施設が表示されているフレーム画像を、前記オブジェクトを重畳表示するフレーム画像として取得する。オブジェクト表示位置決定部は、前記取得したフレーム画像に表示されている前記特定の施設に対して、前記オブジェクトの表示位置を決定する。オブジェクト表示設定部は、前記決定されたオブジェクトの表示位置に、前記オブジェクトを重畳表示する。映像配信部は、前記市街の案内映像に前記オブジェクトが重畳表示された広告情報付き市街案内映像を前記利用者の端末に配信する。
2019123974.tif 000002
【特許請求の範囲】
【請求項１】
利用者の端末に市街の案内映像を配信し、前記案内映像中に表示されている特定の施設に対して、前記施設に関する情報を重畳表示する映像配信装置であって、
前記映像配信装置は、
前記市街の案内映像を構成する複数のフレーム画像からなる映像情報と、前記特定の施設に関するコンテンツが提供されるウェブサイトへ直接アクセス可能なオブジェクトとを記憶している記憶部と、
前記複数のフレーム画像の中から、前記特定の施設が表示されているフレーム画像を、前記オブジェクトを重畳表示するフレーム画像として取得するフレーム画像取得部と、
前記取得したフレーム画像に表示されている前記特定の施設に対して、前記オブジェクトの表示位置を決定するオブジェクト表示位置決定部と、
前記決定されたオブジェクトの表示位置に、前記オブジェクトを重畳表示するオブジェクト表示設定部と、
前記市街の案内映像に前記オブジェクトが重畳表示されたオブジェクト付き市街案内映像を前記利用者の端末に配信する映像配信部と、
を備える映像配信装置。
【請求項２】
前記映像配信装置は、通信ネットワークを介して外部のＷｅｂサーバから前記市街の地図情報を取得する情報受信部を備え、
前記記憶部は、前記複数のフレーム画像それぞれに関連付けられている前記市街の案内映像を撮影した撮影装置の撮影位置についての位置情報を記憶しており、
前記フレーム画像取得部は、前記地図情報における前記特定の施設の位置に対応する前記撮影装置の撮影位置での前記特定の施設が表示されている前記複数のフレーム画像を取得する
請求項１記載の映像配信装置。
【請求項３】
前記記憶部は、前記複数のフレーム画像それぞれに関連付けられている前記市街の案内映像を撮影した撮影装置の撮影位置についての位置情報と、前記市街の地図情報とを記憶しており、
前記フレーム画像取得部は、前記地図情報における前記特定の施設の位置に対応する前記撮影装置の撮影位置での前記特定の施設が表示されている前記複数のフレーム画像を取得する
請求項１記載の映像配信装置。
【請求項４】
前記地図情報は、前記複数のフレーム画像が３次元復元処理されてなる３次元復元地図情報であり、
前記フレーム画像取得部は、前記３次元復元地図情報における前記特定の施設の位置に対応する前記撮影位置での前記特定の施設が表示されている前記複数のフレーム画像を取得する
請求項２又は３記載の映像配信装置。
【請求項５】
前記フレーム画像取得部は、前記オブジェクトの重畳表示の開始となる前記フレーム画像と、前記オブジェクトの重畳表示の終了となる前記フレーム画像との二つのフレーム画像を取得し、
前記オブジェクト表示位置決定部は、前記取得した前記オブジェクトの重畳表示の開始及び終了となる二つのフレーム画像に表示されている前記特定の施設に対して、前記オブジェクトを重畳表示する位置を決定し、
前記決定されたオブジェクトの表示開始位置及び表示終了位置に基づいて、前記オブジェクトの開始及び終了となる二つのフレーム画像間の複数のフレーム画像に表示されている前記特定の施設に対して、前記オブジェクトを重畳表示する位置を算出する
請求項１乃至４の何れか一項に記載の映像配信装置。
【請求項６】
前記フレーム画像取得部は、前記オブジェクトの開始及び終了となる二つのフレーム画像間の複数のフレーム画像から中間となるフレーム画像を取得し、
前記オブジェクト表示位置決定部は、前記中間となるフレーム画像に表示されている前記特定の施設に対して、前記オブジェクトを重畳表示する位置を決定し、
前記決定されたオブジェクトの表示開始位置と、表示終了位置と、前記中間となるフレーム画像における前記オブジェクトの表示位置とに基づいて、前記オブジェクトの表示開始位置から表示終了位置までの前記複数のフレーム画像に表示されている前記特定の施設に対して、前記オブジェクトを重畳表示する位置を算出する
請求項５記載の映像配信装置。
【請求項７】
前記オブジェクトは半透明で表示される
請求項１乃至６の何れか一項に記載の映像配信装置。
【発明の詳細な説明】
【技術分野】
【０００１】
この発明は、映像配信装置に関する。
【背景技術】
【０００２】
従来、動画等の映像を視聴するユーザの端末に、再生中の映像に広告コンテンツを表示することが行われている。例えば、特許文献１には、テレビ広告などの動画広告とネット広告とを、テレビ視聴者の端末に配信する発明が提案されている。
【先行技術文献】
【特許文献】
【０００３】
【特許文献１】特開２０１６−１７８５３５号公報
【発明の概要】
【発明が解決しようとする課題】
【０００４】
上記のように、映像内に広告コンテンツを直接埋め込むことは行われているが、市街を移動カメラにより撮影した映像に対して、広告等のためにインタラクションを行う情報を直接埋め込むことは行われていない。また、「Ｓｔｒｅｅｔ  Ｖｉｅｗ（登録商標）」のような地図及び地図に表された位置の画像の提供サービスでは、地図を介して画像と検索対象の対応をとり、検索対象を地図上のリンクからクリックして情報を得ることができるが、このインタラクションは間接的なものにとどまっている。【０００５】
本発明は、映像内に直接クリック可能な対象を明示的に埋め込み、映像に対して直接インタラクションを行って広告等の情報を表示する映像配信装置を提供することを目的とする。
【課題を解決するための手段】
【０００６】
［１］
利用者の端末に市街の案内映像を配信し、前記案内映像中に表示されている特定の施設に対して、前記施設に関する情報を重畳表示する映像配信装置であって、
前記映像配信装置は、
前記市街の案内映像を構成する複数のフレーム画像からなる映像情報と、前記特定の施設に関するコンテンツが提供されるウェブサイトへ直接アクセス可能なオブジェクトとを記憶している記憶部と、
前記複数のフレーム画像の中から、前記特定の施設が表示されているフレーム画像を、前記オブジェクトを重畳表示するフレーム画像として取得するフレーム画像取得部と、
前記取得したフレーム画像に表示されている前記特定の施設に対して、前記オブジェクトの表示位置を決定するオブジェクト表示位置決定部と、
前記決定されたオブジェクトの表示位置に、前記オブジェクトを重畳表示するオブジェクト表示設定部と、
前記市街の案内映像に前記オブジェクトが重畳表示されたオブジェクト付き市街案内映像を前記利用者の端末に配信する映像配信部と、
を備える映像配信装置。【０００７】
［２］
前記映像配信装置は、通信ネットワークを介して外部のＷｅｂサーバから前記市街の地図情報を取得する情報受信部を備え、
前記記憶部は、前記複数のフレーム画像それぞれに関連付けられている前記市街の案内映像を撮影した撮影装置の撮影位置についての位置情報を記憶しており、
前記フレーム画像取得部は、前記地図情報における前記特定の施設の位置に対応する前記撮影装置の撮影位置での前記特定の施設が表示されている前記複数のフレーム画像を取得する
［１］の映像配信装置。【０００８】
［３］
前記記憶部は、前記複数のフレーム画像それぞれに関連付けられている前記市街の案内映像を撮影した撮影装置の撮影位置についての位置情報と、前記市街の地図情報とを記憶しており、
前記フレーム画像取得部は、前記地図情報における前記特定の施設の位置に対応する前記撮影装置の撮影位置での前記特定の施設が表示されている前記複数のフレーム画像を取得する
［１］の映像配信装置。【０００９】
［４］
前記地図情報は、前記複数のフレーム画像が３次元復元処理されてなる３次元復元地図情報であり、
前記フレーム画像取得部は、前記３次元復元地図情報における前記特定の施設の位置に対応する前記撮影位置での前記特定の施設が表示されている前記複数のフレーム画像を取得する
［２］又は［３］の映像配信装置。【００１０】
［５］
前記フレーム画像取得部は、前記オブジェクトの重畳表示の開始となる前記フレーム画像と、前記オブジェクトの重畳表示の終了となる前記フレーム画像との二つのフレーム画像を取得し、
前記オブジェクト表示位置決定部は、前記取得した前記オブジェクトの重畳表示の開始及び終了となる二つのフレーム画像に表示されている前記特定の施設に対して、前記オブジェクトを重畳表示する位置を決定し、
前記決定されたオブジェクトの表示開始位置及び表示終了位置に基づいて、前記オブジェクトの開始及び終了となる二つのフレーム画像間の複数のフレーム画像に表示されている前記特定の施設に対して、前記オブジェクトを重畳表示する位置を算出する
［１］乃至［４］の何れかの映像配信装置。【００１１】
［６］
前記フレーム画像取得部は、前記オブジェクトの開始及び終了となる二つのフレーム画像間の複数のフレーム画像から中間となるフレーム画像を取得し、
前記オブジェクト表示位置決定部は、前記中間となるフレーム画像に表示されている前記特定の施設に対して、前記オブジェクトを重畳表示する位置を決定し、
前記決定されたオブジェクトの表示開始位置と、表示終了位置と、前記中間となるフレーム画像における前記オブジェクトの表示位置とに基づいて、前記オブジェクトの表示開始位置から表示終了位置までの前記複数のフレーム画像に表示されている前記特定の施設に対して、前記オブジェクトを重畳表示する位置を算出する
［５］の映像配信装置。【００１２】
［７］
前記オブジェクトは半透明で表示される
［１］乃至［６］の何れかの映像配信装置。
【発明の効果】
【００１３】
この発明によれば、映像内に直接クリック可能な対象を明示的に埋め込み、映像に対して直接インタラクションを行って広告等の情報を表示する映像配信装置を提供することができる。
【図面の簡単な説明】
【００１４】
【図１】本発明の実施形態の構成の一例を表す図である。
【図２】（ａ）映像情報の構成の一例を表す図である。（ｂ）〜（ｈ）は、それぞれ、時刻ｔｎにおけるフレーム画像の一例を表すである。
【図３】（ａ）〜（ｃ）は、それぞれ、特定の施設を表すオブジェクトの一例を表す図である。
【図４】（ａ）、（ｂ）ともに地図情報の一例を表す図である。
【図５】（ａ）フレーム画像に関連付けられている撮影位置における位置情報の一例を表す。（ｂ）地図情報上の特定の施設の位置情報の一例を表すである。
【図６】（ａ）〜（ｃ）は、それぞれ、オブジェクトを重畳表示するフレーム画像の一例を表す図である。
【図７】（ａ）〜（ｃ）は、それぞれ、図６図示のフレーム画像に図３図示のオブジェクトの表示を設定する状態の一例を表す図である。
【図８】（ａ）、（ｂ）は、それぞれ、オブジェクトを重畳表示するフレーム画像の一例を表す図である。
【図９】（ａ）、（ｂ）は、それぞれ、図８図示のフレーム画像に図３図示のオブジェクトの表示を設定する状態の一例を表す図である。
【図１０】（ａ）〜（ｄ）は、それぞれ、図３図示のオブジェクトが重畳表示された映像情報の一例を表す。
【図１１】（ａ）〜（ｃ）は、図１０に続き、図３図示のオブジェクトが重畳表示された映像情報の一例を表す。
【図１２】フレーム画像にオブジェクトを重畳表示する表示位置を算出する手法の一例を表す図であって、（ａ）は複数のフレーム画像を平面的に表した図、（ｂ）は複数のフレーム画像を斜視図として表したものである。
【図１３】本実施形態の処理フローの一例を表す図である。
【発明を実施するための形態】
【００１５】
以下、添付図面を参照して、本発明の実施形態の一例を説明する。
【００１６】
［本実施形態の構成］
本実施形態の映像配信装置は、利用者の端末に市街の案内映像を配信し、前記案内映像中に表示されている特定の施設に対して当該特定の施設に関する情報を重畳表示する装置である。
【００１７】
図１に示す形態では、映像配信装置１はサーバ装置としての機能を備え、前記市街の案内映像を制作・提供する事業者が使用する事業者端末４と接続されている。また、映像配信装置１は、インターネット通信網、無線通信規格で定められている無線通信網、等のネットワーク通信網５を介して、前記市街の案内映像を視聴する利用者が使用する複数の利用者端末２と、前記特定の施設に関するコンテンツを提供する複数のＷｅｂサーバ３と通信可能に接続されている。
【００１８】
コンピュータからなる映像配信装置１、利用者端末２、Ｗｅｂサーバ３、事業者端末４のいずれとも、図示していないが、オペレーティングシステムや、インストールあるいはダウンロードした所定のコンピュータプログラムなどに従って、この実施形態の各種の機能が実現されるように制御を行うＣＰＵ、オペレーティングシステムや種々のコンピュータプログラムなどを記憶し、また、ＣＰＵが各制御のための処理を実行する上で必要なデータを記憶する記憶部としてのＲＯＭ、ＣＰＵが処理を実行する上で必要なデータを記憶し、ＣＰＵによって情報が適宜書き換えられるワークエリアとしても利用されるＲＡＭやハードディスク、更に、ユーザインターフェース、無線通信インターフェースなどを備えていて、これらが必要なバスラインで接続されている。
【００１９】
また、利用者端末２は、この実施形態で説明する機能を実現できるスマートフォン、タブレット端末、携帯電話機、等、通信機能やウェブ閲覧機能を備える端末にすることもできる。
【００２０】
事業者端末４は、映像配信装置１と協同して後述する前記市街の案内映像中に表示されている特定の施設に対して当該特定の施設に関する情報を重畳表示する処理を行う端末で、汎用のパーソナルコンピュータ、等を使用することができる。
【００２１】
Ｗｅｂサーバ３は、種々の業種の事業者がネットワーク通信網５を介して映像配信装置１と利用者端末２と通信可能に設置しているサーバ装置としての機能を備える装置である。図１には示していないが、Ｗｅｂサーバ３は事業者ごとに複数設置されている形態にすることができる。Ｗｅｂサーバ３によるウェブサイトで提供されるコンテンツは、前記特定の施設に関するコンテンツである。例えば、前記特定の施設を運営、等する事業者自身による前記特定の施設で提供される商品・サービスなどに関する広告、等のコンテンツや、前記特定の施設を運営、等する事業者とは異なる他の事業者によって広告、紹介、等される前記特定の施設で提供される商品・サービスなどに関する広告、等のコンテンツである。
【００２２】
利用者端末２は、ネットワーク通信網５を介して映像配信装置１へアクセスして前記市街の案内映像を取得し、また、前記案内映像に重畳表示される後述のオブジェクト１５をクリックしてＷｅｂサーバ３にアクセスすることにより前記特定の施設に関するコンテンツを取得する。
【００２３】
映像配信装置１は、図１に示すように、情報送受信部６、制御部７、記憶部８、フレーム画像取得部９、オブジェクト表示位置決定部１０、オブジェクト表示位置設定部１１、映像配信部１２を備えている。
【００２４】
情報送受信部６は、利用者端末２、Ｗｅｂサーバ３、事業者端末４との間で情報の送受信を行う。
【００２５】
記憶部８には、以下の情報が記憶されている。
【００２６】
（映像情報）
本実施形態では、図示していないビデオカメラ等の撮影装置によって市街の様子が撮影された動画を映像情報としている。図２（ａ）に示すように、映像情報１３は、時刻ｔ１〜ｔｎにおける複数のフレーム画像（静止画像）１３ｔ１〜１３ｔｎで構成される。フレーム画像１３ｔ１〜１３ｔｎのうち、フレーム画像１３ｔ１〜１３ｔ７には、例えば図２（ｂ）〜（ｈ）に示すような特定の施設１４ａ（例えば飲食店）、１４ｂ（例えばスーパーマーケット）、１４ｃ（例えば本屋）が表示されている。
【００２７】
映像情報１３は、前記撮影装置を事業者端末４に接続して事業者端末４を介して映像配信装置１へ入力されるか、あるいは映像配信装置１に接続して映像配信装置１へ直接入力される。
【００２８】
（特定の施設に関する情報）
特定の施設に関する情報は、映像情報１３に係る前記市街の案内映像中に表示されている特定の施設に対して重畳表示される情報である。本実施形態では、前記特定の施設に関するコンテンツが提供されるウェブサイトへ直接アクセス可能なオブジェクトとしている。例えば、前記特定の施設に関するコンテンツが提供されるウェブサイトに係るＵＲＬのリンク付きオブジェクトであり、利用者端末２において当該オブジェクトをクリックする、等、当該オブジェクトに対して直接的な入力、指示することで、前記特定の施設に関するコンテンツが提供されるウェブサイトに直接アクセスできるものである。この実施形態では、利用者端末２の表示画面に市街の案内映像が表示されている際に、前記特定の施設に対して、図３に例示したような形態の、ＵＲＬのリンク付きオブジェクト１５（アイコン）が表示されることにしている。
【００２９】
前記特定の施設に関するコンテンツが提供されるウェブサイトへ直接アクセス可能なオブジェクト、すなわち、利用者端末２において当該オブジェクトに対してクリックする、等の直接的な入力、指示を行うことで、前記特定の施設に関するコンテンツが提供されるウェブサイトへ直接アクセスできる、ＵＲＬのリンク付きオブジェクト１５の例として、図２（ｂ）〜（ｈ）に示すフレーム画像１３ｔ１〜１３ｔ７に表示されている特定の施設１４ａ（飲食店）、１４ｂ（スーパーマーケット）、１４ｃ（本屋）についての事業者自身のウェブサイトや、特定の施設１４ａ〜１４ｃの商品・サービス等を広告、紹介している他の事業者による商品・サービス検索サイトや比較サイト、等に直接アクセス可能なＵＲＬのリンク付きのオブジェクト１５ａ〜１５ｃとしている（図３（ａ）〜（ｃ））。このようなオブジェクト１５ａ〜１５ｃは、例えば、半透明の状態で前記案内映像に重畳表示する実施形態にすることができる。なお、以下で、「ＵＲＬのリンク付きオブジェクト」を単に「オブジェクト」と表示することがある。
【００３０】
（地図情報）
地図情報は、後述するフレーム画像取得部９による特定の施設が表示されているフレーム画像を取得する際に使用される。前記地図情報は従来公知の二次元（航空写真含む）、三次元表示の地図情報を使用することができる。図４（ａ）に示す形態では、二次元表示の地図情報１６ａを使用している。
【００３１】
地図情報１６ａには、位置情報（緯度、経度）が関連づけられており、事業者端末４において地図情報１６ａ上の任意の点を選択すると、選択した点の位置情報を把握することができる。例えば、図４（ａ）、図５（ｂ）に示すように、地図情報１６ａには、特定の施設１４ａ（飲食店）、１４ｂ（スーパーマーケット）、１４ｃ（本屋）の位置情報（経度、緯度）が関連付けられおり、特定の施設１４ａを選択すると、その位置情報を把握することができる。
【００３２】
また、従来公知のＳＬＡＭ（Ｓｉｍｕｌｔａｎｅｏｕｓ  Ｌｏｃａｌｉｚａｔｉｏｎ  ａｎｄ  Ｍａｐｐｉｎｇ）等を用いて映像情報１３を３次元復元処理し、図４（ｂ）に示すような３次元復元地図情報１６ｂを使用してもよい。
【００３３】
なお、本実施形態では、記憶部８が前記地図情報を記憶している態様としているが、この他、地図及び地図に表された位置の画像を提供する事業者が設置しているＷｅｂサーバ３と映像配信装置１との間で行われるＡＰＩ（Ａｐｐｌｉｃａｔｉｏｎ  Ｐｒｏｇｒａｍｍｉｎｇ  Ｉｎｔｅｒｆａｃｅ）を利用して、映像配信装置１が前記地図情報を取得することができる。この場合、事業者端末４からの前記地図情報取得の要求に応じて、映像配信装置１の情報送受信部６が前記地図及び地図に表された位置の画像を提供する事業者が設置しているＷｅｂサーバ３から前記地図情報を取得する。
【００３４】
（撮影装置の位置情報）
撮影装置の位置情報は、後述するフレーム画像取得部９による特定の施設が表示されているフレーム画像を取得する際に使用される。
【００３５】
前記撮影装置の位置情報は、前記市街を撮影する際に、前記撮影装置が備えるＧＰＳ等の位置情報取得手段によって記録される。撮影後、前記撮影装置の位置情報は、前記撮影装置を事業者端末４に接続して事業者端末４を介して映像配信装置１へ入力されるか、あるいは映像配信装置１に接続して映像配信装置１へ直接入力される。
【００３６】
映像情報１３と前記撮影装置の位置情報の映像配信装置１への入力後、事業者端末４において、フレーム画像１３と前記撮影装置の位置情報との同期処理が行われる。この同期処理によって、映像情報１３を構成するフレーム画像１３ｔ１〜１３ｔｎに前記撮影装置の位置情報が関連付けられる。例えば、図５（ａ）に示すように、図２（ｂ）〜（ｈ）に示すフレーム画像１３ｔ１〜１３ｔ７それぞれに、各フレーム画像を撮影した前記撮影装置の位置情報が関連づけられる。
【００３７】
フレーム画像取得部９は、複数のフレーム画像の中から、前記特定の施設が表示されているフレーム画像を、前記オブジェクトを重畳表示するフレーム画像として取得する。前記フレーム画像を取得する方法としては、以下の態様を例示できる。
【００３８】
（取得態様１）
事業者端末４において、作業者が映像１３をすべて確認し、前記オブジェクトを重畳表示するフレーム画像を選択して取得する。図２に示す例では、前記作業者は、事業者端末４で再生される映像１３のフレーム画像１３ｔ１〜１３ｔｎを確認しながら、図３に示すオブジェクト１５ａ〜１５ｃを重畳表示するフレーム画像１３ｔ１、１３ｔ２、１３ｔ３、１３ｔ５、１３ｔ６を選択する。フレーム画像取得部９は、選択されたフレーム画像１３ｔ１、１３ｔ２、１３ｔ３、１３ｔ５、１３ｔ６を取得する。
【００３９】
（取得態様２）
事業者端末４において、作業者が地図情報１６ａにおける前記特定の施設の位置に対応する前記撮影装置の撮影位置での前記特定の施設が表示されている前記複数のフレーム画像を選択して取得する。図２、図４（ａ）に示す例では、前記作業者は、事業者端末４に表示される地図情報１６ａの中から特定の施設１４ａ〜１４ｃを選択する。フレーム画像取得部９は、選択された特定の施設１４ａ〜１４ｃの図５（ｂ）に示す位置情報に基づいて、特定の施設１４ａ〜１４ｃの位置（緯度、経度）に対応する図５（ａ）に示す前記撮影装置の撮影位置（緯度、経度）での特定の施設１４ａ〜１４ｃが表示されている図２に示すフレーム画像１３ｔ１、１３ｔ２、１３ｔ３、１３ｔ５、１３ｔ６を取得する。
【００４０】
（取得態様３）
事業者端末４において、作業者が３次元復元地図情報１６ｂにおける前記特定の施設の位置に対応する前記撮影装置の撮影位置での前記特定の施設が表示されている前記複数のフレーム画像を選択して取得する。図２、図４（ｂ）に示す例では、前記作業者は、事業者端末４に表示される３次元復元地図情報１６ｂの中から特定の施設１４ａ〜１４ｃを選択する。フレーム画像取得部９は、選択された特定の施設１４ａ〜１４ｃの図５（ｂ）に示す位置情報に基づいて、特定の施設１４ａ〜１４ｃの位置（緯度、経度）に対応する図５（ａ）に示す前記撮影装置の撮影位置（緯度、経度）での特定の施設１４ａ〜１４ｃが表示されている図２に示すフレーム画像１３ｔ１、１３ｔ２、１３ｔ３、１３ｔ５、１３ｔ６を取得する。
【００４１】
オブジェクト表示位置決定部１０は、前記取得したフレーム画像に表示されている前記特定の施設に対して、前記オブジェクトの表示位置を決定する。図６〜図９に示す例では、前記作業者は、事業者端末４に表示されるフレーム画像１３ｔ１、１３ｔ２、１３ｔ３、１３ｔ５、１３ｔ６を確認しながら、特定の施設１４ａに対しては、オブジェクト表示座標１７ａ（ｘ１、ｙ１）、１７ｂ（ｘ2、ｙ2）を選択し、特定の施設１４ｂに対しては、オブジェクト表示座標１７ｃ（ｘ3、ｙ3）、１７ｄ（ｘ４、ｙ４）、１７ｅ（ｘ５、ｙ５）を選択し、特定の施設１４ｃに対しては、オブジェクト表示座標１７ｆ（ｘ６、ｙ６）、１７ｇ（ｘ７、ｙ７）を選択する。オブジェクト表示位置決定部１０は、選択されたオブジェクト表示座標１７ａ〜１７ｇを特定の施設１４ａ〜１４ｃに対するオブジェクト１５ａ〜１５ｃの表示位置として決定する。
【００４２】
オブジェクト表示位置設定部１１は、前記決定されたオブジェクトの表示位置に、前記オブジェクトを重畳表示する。図６〜図９に示す例では、決定されたオブジェクト表示座標１７ａ〜１７ｇにオブジェクト１５ａ〜１５ｃを重畳表示する。
【００４３】
なお、上述したフレーム画像取得部９、オブジェクト表示位置決定部１０、オブジェクト表示位置設定部１１によるオブジェクトの重畳表示処理を以下のような処理とすることができる。
【００４４】
図１２に示すように、オブジェクトを重畳表示する特定の施設が表示されているフレーム画像を１３ｔ１〜１３ｔ５とした場合、作業者は、事業者端末４において、前記オブジェクトの重畳表示の開始となるフレーム画像１３ｔ１と、前記オブジェクトの重畳表示の終了となるフレーム画像１３ｔ５を選択する。また、フレーム画像１３ｔ１のオブジェクト表示座標１７ａと、フレーム画像１３ｔ５のオブジェクト表示座標１７ｅを前記オブジェクトの重畳表示位置として選択する。
【００４５】
オブジェクト表示位置決定部１０は、選択されたオブジェクト表示座標１７ａと１７ｅとに基づいて、図１２の破線で示すように、フレーム画像１３ｔ２、１３ｔ３、１３ｔ４における前記オブジェクトの重畳表示位置を算出して、オブジェクト表示座標１７ｂ、１７ｃ、１７ｄを決定する。フレーム画像１３ｔ２、１３ｔ３、１３ｔ４（中間のフレーム画像）におけるオブジェクトの重畳表示位置の算出として、例えば、フレーム画像の両端（オブジェクトの重畳表示の開始となるフレーム画像１３ｔ１と、重畳表示の終了となるフレーム画像１３ｔ５）から線形近似処理や多項式近似処理、等を使用することができる。
【００４６】
ここで、撮影装置の撮影条件等の理由により画像がぶれ、フレーム画像１３ｔ４におけるオブジェクト表示座標１７ｄが本来設定する表示座標からずれる場合がある。この場合、前記作業者は、事業者端末４において、中間となるフレーム画像１３ｔ３をさらに選択し、フレーム画像１３ｔ３におけるオブジェクト表示座標１７ｃを前記オブジェクトの重畳表示位置として選択する。
【００４７】
オブジェクト表示位置決定部１０は、選択されたオブジェクト表示座標１７ａ、１７ｃ、１７ｅとに基づいて、図１２の実線で示すように、フレーム画像１３ｔ３、１３ｔ４、１３ｔ５における前記オブジェクトの重畳表示位置を算出して、オブジェクト表示座標を１７ｃ、１７ｄ´、１７ｅ´に決定して、前記オブジェクトの重畳表示の開始となるフレーム画像１３ｔ１から前記オブジェクトの重畳表示の終了となるフレーム画像１３ｔ５における各フレーム画像における前記オブジェクト表示座標を補間する。ここでも、上述した線形近似処理や多項式近似処理、等を使用して、中間のフレーム画像におけるオブジェクトの重畳表示位置を算出することができる。
【００４８】
映像配信部１２は、前記市街の案内映像に前記オブジェクトが重畳表示されたオブジェクト付き市街案内映像を利用者端末２に配信する。本実施形態では、図１０、１１に示すように、フレーム画像１３ｔ１、１３ｔ２、１３ｔ３、１３ｔ５、１３ｔ６にオブジェクト１５ａ〜１５ｃが重畳表示された前記市街の映像情報１３が利用者端末２に配信される。
【００４９】
前記利用者は、利用者端末２で再生されている前記市街の案内映像に重畳表示されているオブジェクト１５ａ〜１５ｃをクリックして、リンク付けされているＵＲＬに従って特定の施設１４ａ（飲食店）、１４ｂ（スーパーマーケット）、１４ｃ（本屋）についての事業者自身のウェブサイトや、特定の施設１４ａ〜１４ｃの商品・サービス等を広告、紹介している他の事業者による商品・サービス検索サイトや比較サイト、等に直接アクセスすることができる。
【００５０】
映像配信装置１が備える各部が行う処理は、ＣＰＵ、ＲＡＭ、ＲＯＭ等を備える制御部７によって制御される。
【００５１】
このように、本実施形態では、市街の案内映像に対して、利用者が直接クリック可能なオブジェクトが埋め込まれ、前記利用者の端末に表示するインターフェースとなっている。そのため、このようなインターフェースが表示された市街の案内映像を配信することで、前記市街の観光や誘導等を促進することができる。
【００５２】
［本実施形態の処理フロー］
図１３を参照して、本実施形態の処理フローを説明する。なお、フレーム画像取得部９が行う処理は上述したフレーム画像の取得態様２としている。
【００５３】
（Ｓ１０１）
ビデオカメラ等の撮影装置によって市街の様子が撮影された動画を映像情報１３とし、映像情報１３は、前記撮影装置を事業者端末４に接続して事業者端末４を介して映像配信装置１へ入力されるか、あるいは映像配信装置１に接続して映像配信装置１へ直接入力される。
【００５４】
（Ｓ１０２）
作業者は、事業者端末４において、事業者端末４に表示される図４（ａ）に示す地図情報１６ａの中から特定の施設１４ａ〜１４ｃを選択する。
【００５５】
（Ｓ１０３）
フレーム画像取得部９は、選択された特定の施設１４ａ〜１４ｃの図５（ｂ）に示す位置情報に基づいて、特定の施設１４ａ〜１４ｃの位置（緯度、経度）に対応する図５（ａ）に示す前記撮影装置の撮影位置（緯度、経度）での特定の施設１４ａ〜１４ｃが表示されている図２に示すフレーム画像１３ｔ１、１３ｔ２、１３ｔ３、１３ｔ５、１３ｔ６を取得する。
【００５６】
（Ｓ１０４）
前記作業者は、事業者端末４に表示されるフレーム画像１３ｔ１、１３ｔ２、１３ｔ３、１３ｔ５、１３ｔ６を確認しながら、図６に示すように特定の施設１４ａに対しては、オブジェクト表示座標１７ａ（ｘ１、ｙ１）、１７ｂ（ｘ2、ｙ2）を選択し、特定の施設１４ｂに対しては、オブジェクト表示座標１７ｃ（ｘ3、ｙ3）、１７ｄ（ｘ４、ｙ４）、１７ｅ（ｘ５、ｙ５）を選択し、図８に示すように特定の施設１４ｃに対しては、オブジェクト表示座標１７ｆ（ｘ６、ｙ６）、１７ｇ（ｘ７、ｙ７）を選択する。
【００５７】
（Ｓ１０５）
オブジェクト表示位置決定部１０は、選択されたオブジェクト表示座標１７ａ〜１７ｇを特定の施設１４ａ〜１４ｃに対するオブジェクト１５ａ〜１５ｃの表示位置として決定する。
【００５８】
（Ｓ１０６）
オブジェクト表示位置設定部１１は、決定されたオブジェクト表示座標１７ａ〜１７ｇにオブジェクト１５ａ〜１５ｃの表示を設定する。
【００５９】
（Ｓ１０７）
映像配信部１２は、図１０、１１に示すように、フレーム画像１３ｔ１、１３ｔ２、１３ｔ３、１３ｔ５、１３ｔ６にオブジェクト１５ａ〜１５ｃが重畳表示された前記市街の映像情報１３を利用者端末２に配信する。
【符号の説明】
【００６０】
１  映像配信装置
２  利用者端末
３  Ｗｅｂサーバ
４  事業者端末
５  ネットワーク通信網
６  情報送受信部
７  制御部
８  記憶部
９  フレーム画像取得部
１０  オブジェクト表示位置決定部
１１  オブジェクト表示位置設定部
１２  映像配信部
１３  映像情報
１３ｔ１・・・１３ｔｎ  フレーム画像
１４ａ、１４ｂ、１４ｃ  特定の施設
１５ａ、１５ｂ、１５ｃ  オブジェクト
１６ａ、１６ｂ  地図情報
１７ａ・・・１７ｇ  オブジェクト表示座標
【図１】
2019123974.tif 000003
【図２】
2019123974.tif 000004
【図３】
2019123974.tif 000005
【図４】
2019123974.tif 000006
【図５】
2019123974.tif 000007
【図６】
2019123974.tif 000008
【図７】
2019123974.tif 000009
【図８】
2019123974.tif 000010
【図９】
2019123974.tif 000011
【図１０】
2019123974.tif 000012
【図１１】
2019123974.tif 000013
【図１２】
2019123974.tif 000014
【図１３】
2019123974.tif 000015
【国際調査報告】
2019123974.tif 000016
2019123974.tif 000017